(57)【要約】【課題】泡が消失しても、新たな入浴剤を投入することなく泡立てられる泡立て装置を提供する。【解決手段】回転可能なブラシ状の攪拌部２６と、攪拌部２６を回転させる回転部１８と、攪拌部２６を覆っていて水の吸込用開口部２０及び泡の吐出用開口部２２が形成されている容器１２とを備える。攪拌部２６は、回転方向前方に凹凸部２８が設けられている。回転部１８は、回転部２６本体の両側に延びる回転軸２４を有し、回転軸２４には、回転部１８を挟む形態で各攪拌部２６が連結される。【選択図】  図１
2010252960.tif 000002
【特許請求の範囲】
【請求項１】
回転可能なブラシ状の攪拌部と、
前記攪拌部を回転させる回転部と、
前記攪拌部を覆っていて水の吸込用開口部及び泡の吐出用開口部が形成されている容器とを備える泡立て装置。
【請求項２】
前記攪拌部は、回転方向前方に凹凸部が設けられている、請求項１記載の泡立て装置。
【請求項３】
前記回転部は、回転部本体の両側に延びる回転軸を有し、
前記回転軸には、前記回転部を挟む形態で各攪拌部が連結される、請求項１記載の泡立て装置。
【発明の詳細な説明】
【技術分野】
【０００１】
本発明は、泡立て装置に関し、特に、いわゆる泡風呂入浴剤を泡立てる泡立て装置に関する。
【背景技術】
【０００２】
従来、特許文献１に開示されているように、簡易な構成で入浴剤を迅速にかつ完全に泡立たせることができる泡立て装置が開示されている。この泡立て装置は、駆動機構によって駆動し入浴剤等を撹拌する撹拌部を備えた撹拌室を構成し、この撹拌室内には生成された泡等を外部に排出する吹出口を設けると共に、上記撹拌室の下部には撹拌室と連通し、かつ水の取入孔を備えた入浴剤の収納部を取り付けてなる、とされている。
【０００３】
【特許文献１】実用新案登録第３０８７８６１号公報
【発明の概要】
【発明が解決しようとする課題】
【０００４】
しかし、特許文献１に開示されている泡立て装置は、液状の泡風呂入浴剤を用いることが必須である。このため、泡立て装置を用いて、一度、入浴剤を泡立てても、その泡が消失してしまうと、再度、液状の泡風呂入浴剤を泡立て装置に追加して泡立てしなければならない。これでは、泡風呂入浴剤の使用量がかさみ、経済的に難点がある。
【０００５】
また、特許文献１に開示されている泡立て装置は、入浴剤と水と空気との攪拌効率の面で問題がある。すなわち、この泡立て装置は、攪拌部の形状が、入浴剤と水と空気との攪拌に不向きな形状をしていて、具体的には、空気を水中にうまくとりこめない。このため、泡風呂が完成するまでに相対的に長時間を要する。
【０００６】
そこで、本発明は、泡が消失しても、新たな入浴剤を投入することなく泡立てられる泡立て装置を提供することを課題とする。
【０００７】
また、本発明は、効率よく泡立て可能な泡立て装置を提供することを課題とする。
【課題を解決するための手段】
【０００８】
上記課題を解決するために、本発明の泡立て装置は、
回転可能なブラシ状の攪拌部と、
前記攪拌部を回転させる回転部と、
前記攪拌部を覆っていて水の吸込用開口部及び泡の吐出用開口部が形成されている容器とを備える。
【０００９】
本発明の泡立て装置によれば、攪拌部がブラシ状であって、これが回転されるため、水中に空気を取り込み易くなる。このため、水中に溶解している泡風呂入浴剤に空気が効率よく接触するため、泡が消失していた場合であっても、新たな入浴剤を投入することなく泡風呂を再現できる。
【００１０】
また、本発明の泡立て装置によれば、攪拌部がブラシ状であって、これが回転されるため、水中に空気を取り込み易くなるので、泡立ち効率も向上する。なお、更なる効率化のために、攪拌部の回転方向前方に凹凸部を設けるとよい。こうすると、凹部分に空気が溜まる状態で水中に向けて進行するので、水中に空気を更に取り込み易くなる。
【００１１】
なお、ブラシ状の攪拌部を一対で設け、かつ、攪拌部間に回転部を配置するといったレイアウトにすると、泡立て装置を水面で安定した状態とすることができる。
【００１２】
また、泡立て装置の使用時に、吐出用開口部が水面に亘って位置するように形成すると、泡立て効率が向上することがわかった。
【図面の簡単な説明】
【００１３】
【図１】本発明の実施形態の泡立て装置の模式的な斜視図である。
【図２】図１に示す泡立て装置の平面図である。
【図３】図１に示す泡立て装置の側面図である。
【図４】図３の一部拡大図である。
【符号の説明】
【００１４】
１０  泡立て装置
１２  容器
１４  軸受け部
１８  回転部
２０  吸込用開口部
２２  吐出用開口部
２４  回転軸
２６  攪拌部
２８  凹凸部
【発明を実施するための形態】
【００１５】
以下、本発明の実施形態について図面を参照して説明する。
【００１６】
図１は、本発明の実施形態の泡立て装置の模式的な斜視図である。図２は、図１に示す泡立て装置の平面図である。図３は、図１に示す泡立て装置の側面図である。図４は、図３の一部拡大図である。
【００１７】
図１等に示すように、本実施形態の泡立て装置１０は、略円筒状の容器１２を備えている。容器１２は例えばプラスチック製のものとしている。概形寸法としては、長さが２０ｃｍ前後、直径が１０ｃｍ前後としているが、これに限定されるものではなく、当該サイズよりも大きいものであっても、小さいものであってもよい。
【００１８】
容器１２は、透明でも半透明でもよいし、無透明であってもよい。なお、容器１２の形状は、攪拌部２６の形状に対応するものとしているが、これに限定されるものではなく、攪拌部２６の機能を損なわないような形状であればよい。
【００１９】
容器１２の両端には、容器１２の一部を構成する、一対の軸受け部１４が取り付けられている。軸受け部１４も、例えばプラスチック製とすればよい。軸受け部１４は、その略中央で、後述する回転部１８の回転軸２４を受ける。
【００２０】
なお、図１等では、回転軸２４が軸受け部１４の外側まで突出している態様で示しているが、回転軸２４は、軸受け部１４から突出していなくてもよいし、そもそも、軸受け部１４は、単に、容器１２の一部を構成するのみで、軸受け機能を有していなくてもよい。
【００２１】
また、容器１２には、水の吸込用開口部２０と、泡の吐出用開口部２２とが形成されている。吸込用開口部２０は、たとえば、容器１２の長手方向に沿って延びる長方形状の切り欠きからなる。吸込用開口部２０は、単一の切り欠きとせず、図示しているものよりも幅の短い長方形状の切り欠きを複数形成することによって実現してもよい。
【００２２】
一方、吐出用開口部２２は、容器１２の長手方向に直交して延びる長方形状の複数の切り欠きからなる。なお、効率よく泡立てするためには、使用時の吐出用開口部２２の位置が重要である。すなわち、使用時の吐出用開口部２２の位置は、浴槽の水面に亘るようにすることが重要である。
【００２３】
容器１２内には、その長手方向に延びる回転軸２４に連結されているブラシ状の攪拌部２６が収容されている。本実施形態では、一対の攪拌部２６が、回転部１８を挟む態様で配置させている。
【００２４】
具体的には、回転部１８が中央に位置していて、回転部１８本体の両側に延びる回転軸２４に対して、各々の攪拌部２６が連結されている。このように、攪拌部２６間に回転部１８を配置するといったレイアウトにすると、泡立て装置１０の長手方向の重量差が生じないため、泡立て装置の使用時に、泡立て装置が傾くことがなくなるという利点がある。
【００２５】
なお、図１では、回転部１８の一部が容器１２から突出する例を示しているが、回転部１８の全てが容器１２の内部に収まるように構成してもよい。
【００２６】
また、各攪拌部２６は、放射状に延びる例えば１０列で配列された毛部を備えている。なお、毛部を２０列とした場合には、泡立ち効率が良くなかった。毛部は、実験上では、７本〜１２本程度の配列が良いことがわかった。
【００２７】
そして、一列あたりの毛部の数は、一例としては、１０本〜１５本とする。したがって、この場合には、泡立て装置１０は、合計で２００本〜３００本の毛部を備えることになる。なお、図４では、毛部の形状が略円錐状に示されているが、例えば円柱状としてもよい。
【００２８】
また、毛部は、回転方向前方側に、凹凸部２８を設けている。図４では、攪拌部２６が反時計回りに回転する場合を例示している。凹凸部２８は、凹凸が５組となるように図示しているがこれよりも多くてもよい。
【００２９】
凹凸部２８を設けると、回転部１８を駆動したときに、凹凸部２８の凹部で空気を受けながら、毛部が水中に侵入するため、水中内に空気を取り込み易くなる。
【００３０】
なお、本明細書でいう凹凸とは、空気を水中内に取り込み易くする形状であることを意味し、凹部は、たとえば、略おわん形で切り欠いて形成してもよい。ちなみに、本実施形態の泡立て装置１０は、攪拌部２６がブラシ状であって、これが回転されるため、水中に空気を取り込み易くなるので、凹凸部２８を設けることは必須ではない。
【００３１】
ただし、凹凸部２８を設けた場合と設けない場合との双方の実験を行ったところ、凹凸部２８を設けた場合には、そうでない場合に比して、顕著な泡立ちが確認できた。具体的には、泡立ちまでの時間が、凹凸部２８を設けた場合には、そうでない場合に比して、１／１０以下となった。
【００３２】
回転部１８は、回転軸２４に連結されているモータと、モータの駆動源であるいくつかの乾電池とを備える。回転部１８は、水の浸入を防止するために、使用時には密閉状態とされる。
【００３３】
このような密閉状態を形成すると、回転部１８内の空気に働く浮力によって、泡立て装置１０が水面に浮くことになる。また、回転部１８の容器１２から突出部分に電池を配置するなどして、当該部分の比重が高くなるように構成すると、図３に示す態様で泡立て装置１０が水面に浮くことになる。
【００３４】
もっとも、泡立て装置１０の重量等によっては、これだけでは浮力が足りない場合があるので、かかる場合には、容器１０に発泡スチロールなどを取り付けるなどして、浮力の不足分を補えばよい。
【００３５】
以上説明したように、本実施形態の泡立て装置によれば、水中に溶解している泡風呂入浴剤に空気が効率よく接触するため、浴槽内から泡が消失していた場合であっても、新たな入浴剤を投入することなく泡風呂を再現することできる。
【００３６】
実際に、市販の玩具用モータを用いて回転部１８を構成した泡立て装置を用いて実験を行った。この実験は、通常の家庭用風呂において、一旦泡立てした翌日に、その泡が完全に消失していた状態で行った。この場合、２分〜３分程度といった短時間で、泡風呂を再現できた。
【図１】
2010252960.tif 000003
【図２】
2010252960.tif 000004
【図３】
2010252960.tif 000005
【図４】
2010252960.tif 000006